(57)【要約】【課題】吸収性物品を清拭シートと共に包装材によって包装してなる吸収性物品の包装構造において、清拭シートの作業性に優れた吸収性物品の包装構造を提供すること。【解決手段】縦長の吸収性本体１４、及び該吸収性本体１４を着衣に固定する粘着部（本体粘着部１６、ウイング部粘着部１７）を有する吸収性物品１を、清拭シート３と共に包装材２によって包装してなる吸収性物品の包装構造であって、前記清拭シート３を、前記粘着部に剥離可能に粘着させる。【選択図】図２
2008148799.tif 000002
【特許請求の範囲】
【請求項１】
縦長の吸収性本体、及び該吸収性本体を着衣に固定する粘着部を有する吸収性物品を、清拭シートと共に包装材によって包装してなる吸収性物品の包装構造であって、
前記清拭シートは、前記粘着部に剥離可能に粘着されている吸収性物品の包装構造。
【請求項２】
前記吸収性物品は、前記吸収性本体の左右両側に延設された一対のウイング部を有しており、一対の該ウイング部それぞれの非肌当接面側の面に前記粘着部が設けられており、一対の該ウイング部は該吸収性本体の肌当接面側に折り畳まれており、
前記清拭シートは、折り畳まれた一対の前記ウイング部における前記粘着部に剥離可能に粘着されている請求項１記載の吸収性物品の包装構造。
【請求項３】
前記吸収性本体の非肌当接面側の面に前記粘着部が設けられており、前記清拭シートは、該粘着部に剥離可能に粘着されている請求項１記載の吸収性物品の包装構造。
【請求項４】
前記清拭シートは、前記粘着部の一部が露出するように該粘着部に剥離可能に粘着されている請求項３記載の吸収性物品の包装構造。
【発明の詳細な説明】
【技術分野】
【０００１】
本発明は、生理用ナプキン等の吸収性物品を清拭シートと共に包装材によって包装してなる吸収性物品の包装構造に関する。
【背景技術】
【０００２】
生理用ナプキン、パンティライナー（おりものシート）、使い捨ておむつ等の吸収性物品は、多くの場合、１個ごと包装材によって個装されて市販されている。
ところで、吸収性物品の着用前に、着用者の肌に付着した排泄物や経血を清拭シートで拭き取ることが行われているが、その際、清拭シートを別途用意する必要があり、不便であった。
【０００３】
このような不便を解消するために、包装材からなる包装袋の中に、吸収性物品と共に清拭シートを同梱する技術が開示されている（例えば、特許文献１，２参照）
【０００４】
【特許文献１】実開平３−１３１３０号公報
【特許文献２】実開平２−１１２３号公報
【発明の開示】
【発明が解決しようとする課題】
【０００５】
しかし、特許文献１，２に記載の技術においては、清拭シートを使用する前に、包装袋を開封する作業と包装袋から清拭シートを取り出す作業が必要であり、作業効率が高くなかった。清拭シートによる拭き取り、ナプキン等の装着は、できる限り手早く行われることが望ましく、これら一連の作業をスムーズに行うことのできる技術が要望されていた。
【０００６】
従って、本発明の目的は、吸収性物品を清拭シートと共に包装材によって包装してなる吸収性物品の包装構造において、清拭シートの作業性に優れた吸収性物品の包装構造を提供することにある。
【課題を解決するための手段】
【０００７】
本発明は、縦長の吸収性本体、及び該吸収性本体を着衣に固定する粘着部を有する吸収性物品を、清拭シートと共に包装材によって包装してなる吸収性物品の包装構造であって、前記清拭シートは、前記粘着部に剥離可能に粘着されている吸収性物品の包装構造を提供することにより、上記の目的を達成したものである。
【発明の効果】
【０００８】
本発明の吸収性物品の包装構造は、清拭シートが、ナプキン等の吸収性物品に配されているズレ止め用の粘着部に剥離可能に直接粘着されているため、清拭シートの取り出し作業を簡便に行うことができ、清拭シートの作業性に優れている。
【発明を実施するための最良の形態】
【０００９】
以下、本発明の吸収性物品の包装構造を、その好ましい実施形態に基づき図面を参照して説明する。
本発明の第１実施形態としての吸収性物品の包装構造は、図１に示すように、生理用ナプキン１を清拭シート（図１では図示せず）と共に包装材２によって包装してなる生理用ナプキンの包装構造１０である。
【００１０】
第１実施形態における生理用ナプキン１（以下、ナプキン１ともいう）は、図２及び図３に示すように、肌当接面を構成する表面シート１１、非肌当接面を構成する裏面シート１２及びこれらの間に介在する吸収層としての液保持性の吸収体１３を具備し、実質的に縦長の形状を有している。
ナプキン１は、図３に示すように、長手方向の一端部から他端部に向かって順に、着用時に着用者の腹部寄りの位置に配される前方部Ａ、着用者の液排泄部に対向配置される排泄部対向部Ｂ及び着用者の背中寄りの位置に配される後方部Ｃを有している。
【００１１】
ナプキン１は、その幅方向の中央部分に、表面シート１１、吸収体１３及び裏面シート１２がこの順に積層された構成の吸収性本体１４を有し、該吸収性本体１４の左右両側に、吸収体１３の両側縁から延出した表面シート１１及び裏面シート１２により形成されたフラップ部を有している。
前記フラップ部は、排泄部対向部Ｂにおいてナプキン１の幅方向の外方に向かって大きく張り出しており、これにより吸収性本体１４の左右両側に、一対のウイング部１５，１５が延設形成されている。
【００１２】
尚、本明細書において、肌当接面は、平面状に拡げた吸収性物品の両面のうち、着用時に着用者の肌側に向けられる面であり、非肌当接面は、平面状に拡げた吸収性物品の両面のうち、着用時にショーツ等の下着側（着用者の肌側とは反対側）に向けられる面である。肌当接面には、吸収性本体１４の表面シート１１側の面やウイング部１５の表面シート１１側の面が含まれ、非肌当接面には、吸収性本体１４の裏面シート１２側の面（後述する本体粘着部１６が設けられている面）やウイング部１５の裏面シート１２側の面（後述するウイング部粘着部１７が設けられている面）が含まれる。
【００１３】
ナプキン１は、吸収性本体１４（ナプキン１）をショーツ等の下着（着衣）に固定するための粘着固定部を有している。
具体的には、図３に示すように、吸収性本体１４の非肌当接面側の面に、粘着剤の塗工により形成された本体粘着部１６が設けられており、また、一対のウイング部１５，１５それぞれの非肌当接面側の面に、粘着剤の塗工により形成されたウイング部粘着部１７が設けられている。
【００１４】
本体粘着部１６は、ナプキン１の幅方向中央部に、ナプキン１の長手方向を長辺とする長方形状に形成されている。また、本体粘着部１６は、ナプキン１の長手方向の全長に対して６０〜９０％程度の長さに亘って連続的に形成されている。
ウイング部粘着部１７は、ナプキン１を着衣に固定させるためにウイング部１５が裏面シート１２側に折り曲げられた際に、着衣の非肌対向面に粘着固定される。
【００１５】
本体粘着部１６及びウイング部粘着部１７形成用の粘着剤としては、それぞれ、生理用ナプキン等の吸収性物品の粘着部形成用に従来用いられている各種の粘着剤を特に制限なく用いることができ、本体粘着部１６とウイング部粘着部１７とで、粘着剤の種類が同一であっても異なっていてもよい。
【００１６】
一対のウイング部１５，１５は、包装構造の内部において（図１に示す包装構造の開封前の状態において）、図４に示すように、吸収性本体１４の肌当接面側に折り畳まれている。この結果、該ウイング部１５の非肌当接面側の面に設けられたウイング部粘着部１７は、吸収性本体１４における表面シート１１のほぼ真上に位置する。そして、清拭シート３は、この折り畳まれた一対のウイング部１５，１５におけるウイング部粘着部１７，１７に剥離可能に粘着されている。清拭シート３については後述する。
【００１７】
包装材２は、包装構造１０の外面を形成するものであり、吸収性本体１４よりも大きく且つ吸収性本体１４の長手方向に長い長方形形状のシートである。包装材２は、吸収性本体１４の非肌当接面側の面に、本体粘着部１６を介して剥離可能に粘着されており、吸収性本体１４の該非肌当接面側の面の全面を被覆している。包装材２がこのように配されていることにより、該包装材２は、本体粘着部１６の保護部材としても機能する。
また、包装材２の幅方向に沿う一方の端縁（ナプキン１の前方部Ａ側の端縁）には、感圧接着式の公知のタブテープ２１が設けられている。
【００１８】
包装材２としては、例えば、ポリプロピレン、低密度ポリエチレン、ポリビニルアルコール、不織布又は紙、及びこれらの複合材料、ＳＭＳ不織布を基材シートとして片面又は両面に剥離処理を施したもの等を用いることができる。該剥離処理は、該基材シートの全面に施してもよく、本体粘着部１６を被覆する部分のみに施してもよい。該剥離処理としては、例えば、シリコーン樹脂系のものを塗布して加熱乾燥や紫外線処理する方法、スプレーによる吹きつけや各種コーターによる薄い皮膜を形成させる方法等を挙げることができる。
【００１９】
清拭シート３について説明する。上述の如き構成の吸収性物品を清拭シートと共に包装材によって包装してなる本発明の吸収性物品の包装構造においては、該清拭シートは、該吸収性本体を着衣に固定するために設けられた粘着部に剥離可能に粘着されている。第１実施形態の吸収性物品の包装構造１０において、清拭シート３は、上述したように、吸収性本体１４の肌当接面側に折り畳まれた一対のウイング部１５，１５（図４参照）上に位置し、一対の該ウイング部１５，１５におけるウイング部粘着部１７，１７に剥離可能に粘着されることにより、図２に示すように配されている。
【００２０】
清拭シート３は、ナプキン１の着用前に着用者の肌に付着した排泄物や経血を拭き取るためのものであり、第１実施形態においては不織布から形成されている。清拭シート３は、図２に示す如く粘着部に粘着されている状態においては薬液等を含んでおらず、乾燥した状態にある。清拭シート３は、この乾燥状態のままで使用してもよく、また、粘着部から引き剥がした後、市販の清拭剤を適宜付与し湿潤状態としてから使用してもよい。
【００２１】
清拭シート３は、包装構造の内部において（図１に示す包装構造の開封前の状態において）、その端部が吸収性本体１４の端部を越えて吸収性本体外方に飛び出さないように、換言すれば、粘着部に粘着されている状態の清拭シート３の全体が吸収性本体１４上に位置する（この場合、該清拭シート３が吸収性本体１４の肌当接面側にあるか非肌当接面側にあるかは問わない）ように配されていることが、コンパクトな包装構造を得る点で好ましい。従って、清拭シート３が吸収性本体１４よりも大きい場合は、上記の配置形態が得られるように該清拭シート３を適宜折り畳むことが好ましい。
【００２２】
第１実施形態の清拭シート３は、適宜折り畳まれた形態でウイング部粘着部１７，１７に粘着されている。即ち、第１実施形態においては、図５（ａ）に示すように、細長い帯状の清拭シート３を、シートの長手方向中央部を折り線Ｌ１として２つ折りして、シートの長手方向両端部を重ね合わせた後、図５（ｂ）に示すように、この２つ折りされたシートを、上記折り線Ｌ１が形成された部分と上記重ね合わされた長手方向両端部Ｌ２とを該シートの長手方向中央部で突き合わせるように折り曲げることにより、清拭シート３を、図５（ｃ）に示すようなコンパクトに折り畳まれた形態としている。そして、この折り畳まれた形態の清拭シート３を、上記突き合わせ部分Ｌ１−Ｌ２が吸収性本体１４の肌当接面側の面と対向し、且つ上記折り線Ｌ１が吸収性本体１４の長手方向に沿うように、吸収性本体１４の肌当接面側に折り畳まれた一対のウイング部１５，１５におけるウイング部粘着部１７，１７（図４参照）に粘着させている。
【００２３】
清拭シート３としては、風合いに優れ、また、上述の粘着部から剥離する際に破損することのない強度を有するものが好ましく用いられる。適度な液を含浸可能な素材であれば良く、具体的にはパルプとレーヨンとからなる繊維を水流交絡により成形されたスパンレース不織布等が好ましい材料として挙げられるが、さらにポリエチレンやポリプロピレンシートとラミネート処理を実施したものを用いてもよい。
【００２４】
第１実施形態の包装構造１０は、縦長の吸収性本体１４を有するナプキン１を、包装材２と共にナプキン長手方向に折り畳み、該包装材２の所定箇所を封止することにより得られ、例えば下記のようにして得られる。
先ず、図４に示すように、ナプキン１を包装材２上に載置する。一対のウイング部１５，１５は、吸収性本体１４の両側縁に沿って吸収性本体１４の肌当接面側（表面シート１１側）に折り曲げておく。
次に、図５（ｃ）に示す如く折り畳まれた形態の清拭シート３を、吸収性本体１４の肌当接面側に折り畳まれた一対のウイング部１５，１５におけるウイング部粘着部１７，１７上に、上述したように載置して粘着させる。こうして図２に示す展開状態の包装構造１０が得られる。
【００２５】
そして、図２に示す展開状態から、図６に示すように、ナプキン１を、排泄部対向部Ｂと後方部Ｃとの境界部付近において、包装材２と共に長手方向に折り曲げ、次いで、該排泄部対向部Ｂと前方部Ａとの境界部付近において、包装材２と共に長手方向に折り曲げる。ナプキン１は、このようにして、排泄部対向部Ｂの肌当接面側の面上に清拭シート３が載置された状態で、包装材２と共に長手方向に折り畳まれてコンパクトな形態となる。
【００２６】
そして、折り畳まれた状態のナプキン１の両側縁から幅方向外方に延出する包装材２の両側部２ａ，２ａをエンボス加工等の公知の接合方法により封止すると共に、包装材２の端縁部をタブテープ２１で所定箇所に止着することにより、図１に示すようなナプキン１の包装構造１０が得られる。
【００２７】
第１実施形態の包装構造１０を使用する際には、図１に示す状態からタブテープ２１を摘んで引っ張り、両側部２ａ，２ａの封止部を引き剥がして図２に示す展開状態とした後、折り畳まれた形態の清拭シート３を摘んでウイング部粘着部１７，１７から引き剥がす。この作業によって、図４に示す展開状態が形成される。こうして包装構造１０から取り出された清拭シート３は、適宜展開した状態で常法通り使用することができ、必要に応じ市販の清拭剤を付与して湿潤状態としてから使用してもよい。
【００２８】
清拭シート３による経血等の拭き取り作業終了後は、ナプキン１の装着を行う。その際は、図４に示す展開状態から包装材２を引き剥がし、残ったナプキン１における折り畳まれた一対のウイング部１５，１５を展開させて、ナプキン１を図３に示す如き展開状態にする。そして、この展開状態のナプキン１を、図示しないショーツのクロッチ部に載置し、吸収性本体１４を本体粘着部１６を介して該クロッチ部上に固定する。次いで、一対のウイング部１５，１５を、クロッチ部の両側縁に沿って折り曲げ、ウイング部粘着部１７，１７を介して該クロッチ部の非肌対向面に固定する。こうしてナプキン１をショーツに装着して使用することができる。
【００２９】
以上の構成を有する第１実施形態の生理用ナプキンの包装構造１０によれば、包装構造の内部において（図１に示す包装構造の開封前の状態において）、清拭シート３がウイング部粘着部１７，１７に剥離可能に粘着されているため、清拭シートの取り出し作業を簡便に行うことができ、清拭シートの作業性に優れている。また、清拭シート３がウイング部粘着部１７，１７の保護部材としても機能するため、該粘着部を保護するためだけに使われる部材（例えば剥離シート）を使用する必要が無く、製造コストの点や、包装構造の使用後に出るゴミの量の少なさの点などにおいて有利である。
【００３０】
図７は、本発明の第２実施形態を示す図である。第２実施形態については、上述した第１実施形態の包装構造１０と異なる構成部分を主として説明し、同様の構成部分は同一の符号を付して説明を省略する。特に説明しない構成部分は、第１実施形態の包装構造１０についての説明が適宜適用される。
【００３１】
第２実施形態の吸収性物品の包装構造１０は、主として清拭シートの収納位置の点で、上述した第１実施形態と異なる。即ち、第２実施形態においては、清拭シート３は、第１実施形態のようにウイング部粘着部（図示せず）に剥離可能に粘着されておらず、その代わりに図７に示すように、吸収性本体１４の非肌当接面側（裏面シート１２側）に設けられた本体粘着部１６に剥離可能に粘着されている。尚、図示はしていないが、第２実施形態においても、上述した第１実施形態におけるウイング部粘着部１７，１７と同様の粘着部が設けられており、該粘着部の保護部材としては、清拭シート３とは別体の従来公知の剥離シートが用いられている。
【００３２】
第２実施形態においては、図７に示すように、清拭シート３は、吸収性本体１４の非肌当接面（裏面シート１２）の全面を被覆する包装材２と該非肌当接面との間に位置し、本体粘着部１６の一部（本体粘着部の長手方向の両端縁部）が露出するように該本体粘着部１６に剥離可能に粘着されている。該清拭シート３は、長方形形状のシートであり、その長手方向及び幅方向の長さは何れも吸収性本体１４より短く、さらに該長手方向の長さは、本体粘着部１６の長手方向の長さよりも短い。斯かる形状及び大きさを有する清拭シート３を、図７に示す如く該清拭シート３の長手方向を吸収性本体１４の長手方向に一致させて該吸収性本体１４のほぼ中央部に載置し、縦長の本体粘着部１６に粘着させることにより、粘着された該清拭シート３の長手方向両端部から該本体粘着部１６が延出するように露出し、この露出した本体粘着部１６に対して、該清拭シート３上に位置する包装材２が剥離可能に粘着されている。即ち、第２実施形態においては、本体粘着部１６の一部（本体粘着部の中央部）は、清拭シート３と剥離可能に粘着しており、該本体粘着部１６における該清拭シート３と粘着していない残りの部分（本体粘着部の長手方向の両端縁部）は、包装材２と剥離可能に粘着している。
【００３３】
第２実施形態の包装構造１０を使用する際には、図７に示す展開状態において包装材２を本体粘着部１６から引き剥がした後、露出した清拭シート３を摘んで本体粘着部１６から引き剥がす。こうして取り出した清拭シート３を使用した後は、図示しないウイング部粘着部保護用の剥離シートを取り除き、常法通りナプキン１をショーツ等の着衣に装着する。
第２実施形態の包装構造１０によれば、第１実施形態と同様に、清拭シートの取り出し作業を簡便に行うことができ、清拭シートの作業性に優れているという効果が奏される。
【００３４】
上述した各実施形態における各部（表面シート、裏面シート、吸収体等）の形成材料としては、生理用ナプキン等の吸収性物品の包装構造に、従来用いられているものを特に制限なく用いることができる。例えば、裏面シートとしては、樹脂フィルムや樹脂フィルムと不織布等との積層体等を用いることができる。
【００３５】
本発明の吸収性物品の包装構造は、上述した実施形態に制限されるものではなく、本発明の趣旨を逸脱しない範囲において種々変形可能である。
例えば、ウイング部１５は、吸収性本体１４の構成部材（表面シート１１、裏面シート１２）を延出させて形成されたものに代えて、別材を吸収性本体１４に固定して形成することもできる。
また、包装材２の形状は、吸収性物品の包装が可能であればよく、特に制限されない。  
また、本発明における吸収性物品は、生理用ナプキンの他、パンティライナー（おりものシート）、失禁パッド等の他の吸収性物品であってもよい。
【００３６】
また、本発明に係る粘着部の形状は、着衣固定用及び清拭シート粘着用として使用可能であればよく、特に制限されない。また、粘着部は、所定箇所に１つだけ設けられていてもよく、複数に分割されて設けられていてもよい。例えば、本体粘着部１６は、ナプキン１の長手方向及び／又は幅方向において複数に分割されていてもよい。
また、前記第２実施形態においては、清拭シート３は本体粘着部１６の一部が露出するように該本体粘着部１６に粘着されていたが、本体粘着部１６の全部に清拭シート３を粘着させてもよく、この場合、本体粘着部１６以外に、包装材３とナプキン１とを剥離可能に粘着させる手段を別途設けることができる。
【図面の簡単な説明】
【００３７】
【図１】本発明の第１実施形態である生理用ナプキンの包装構造を示す斜視図である。
【図２】図１に示す包装構造の展開状態における肌当接面側（表面シート側）を示す平面図である。
【図３】図１に示す包装構造における生理用ナプキンの非肌当接面側（裏面シート側）を示す底面図である。
【図４】図２に示す包装構造の展開状態から清拭シートを取り除いた状態を示す平面図である。
【図５】図１に示す包装構造における清拭シートの折り畳み方を説明する平面図である。
【図６】図２に示す状態から包装材をナプキンと共に折り畳む過程を示す斜視図である。
【図７】本発明の第２実施形態である生理用ナプキンの包装構造の展開状態における包装材側（ナプキンの非肌当接面側）を一部破断して示す底面図である。
【符号の説明】
【００３８】
１  生理用ナプキン（吸収性物品）
１０  生理用ナプキンの包装構造（吸収性物品の包装構造）
１１  表面シート（肌当接面）
１２  裏面シート（非肌当接面）
１３  吸収体（吸収層）
１４  吸収性本体
１５  ウイング部
１６  本体粘着部
１７  ウイング部粘着部
２  包装材
３  清拭シート
Ａ  前方部
Ｂ  排泄部対向部
Ｃ  後方部
【図１】
2008148799.tif 000003
【図２】
2008148799.tif 000004
【図３】
2008148799.tif 000005
【図４】
2008148799.tif 000006
【図５】
2008148799.tif 000007
【図６】
2008148799.tif 000008
【図７】
2008148799.tif 000009